(57)【特許請求の範囲】
【請求項１】
洗浄タンクと、
前記洗浄タンクの貯水位よりも低い高さにおいて前記洗浄タンクに連通された貯水部と、
前記貯水部における前記洗浄タンクの貯水位よりも高い位置と、便鉢の排水路における封水部よりも高い位置との間を連通させる通気路と、
上流端が前記洗浄タンクに接続され、下流端が前記便鉢に接続された給水路と、
前記洗浄タンクから前記便鉢への洗浄水の供給流量を制御する洗浄水制御手段と、
前記通気路に設けた通気用電磁開閉弁を有し、前記排水路から前記貯水部への吸気動作を制御する吸気制御手段とを備え、
前記洗浄水制御手段が、前記給水路に設けたポンプを備えて構成され、
前記洗浄タンクから前記便鉢へ洗浄水を供給する際には、供給の初期に前記ポンプの圧送流量を少量として前記便鉢の鉢洗浄を行い、その後、前記ポンプの圧送流量を増して前記排水路から前記貯水部への吸気力を増強し、供給の終期に、前記ポンプの圧送流量を少量にするようになっていることを特徴とする洗浄装置。
【請求項２】
オリフィスを有する区画壁によって前記貯水部内を上部貯水室と下部貯水室とに区画することで、前記吸気制御手段が構成されていることを特徴とする請求項１記載の洗浄装置。
【請求項３】
前記下部貯水室内には、前記貯水部内の洗浄水に浮くことによって前記オリフィスを閉塞可能な閉塞部材が設けられていることを特徴とする請求項２記載の洗浄装置。
【発明の詳細な説明】
【技術分野】
【０００１】
本発明は、洗浄装置に関するものである。
【背景技術】
【０００２】
特許文献１には、サイホン作用によって洗浄効果を高めるようにした水洗式便器用の洗浄装置が開示されている。この洗浄装置は、洗浄タンクと、貯水部と、通気路とを備えている。貯水部は、洗浄タンクの洗浄水の貯水位よりも低い高さにおいて洗浄タンクに連通されている。通気路は、貯水部における洗浄タンクの貯水位よりも高い位置と、便鉢の排水路における封水部よりも高い位置との間を連通させている。
【０００３】
この洗浄装置では、洗浄水が便鉢に供給されて洗浄タンク内の水位が下がると、貯水部内の水位も下がり、これに伴って、排水路内の空気が貯水部内に吸引されるため、サイホン作用によって便鉢から排水路内への洗浄水の流入の勢いが増し、高い洗浄効果が期待できる。
【先行技術文献】
【特許文献】
【０００４】
【特許文献１】実開平５−５７０８０号公報
【発明の概要】
【発明が解決しようとする課題】
【０００５】
この種の洗浄装置は、便鉢や排水経路の形状が異なる複数種類の便器装置と組み合わされる場合がある。便鉢や排水経路の形状が異なると、洗浄水の便鉢への供給流量が一定であっても、排水路における洗浄水の排水流量が異なる場合がある。排水路内における排水流量は、排水路内の空気を貯水部に吸引する吸気力と、便鉢内の汚物を排出するための洗浄力に影響を及ぼす。
【０００６】
そのため、排水流量が多くなる形態の便器装置に組み合わせる場合には、排水路から貯水部への吸気力が強くなり過ぎて、排水路を流れる汚物が通気路内に吸い込まれることが懸念される。また、排水流量が少なくなる形態の便器装置に組み合わせる場合には、通気路内への汚物吸込みの心配はないものの、汚物を便鉢外へ排出する洗浄機能の低下が懸念される。
このように、従来の洗浄装置の場合、組み合わせる便器装置によっては洗浄性能が不安定になる虞がある。
本発明は上記のような事情に基づいて完成されたものであって、洗浄性能の安定化を図ることを目的とする。
【課題を解決するための手段】
【０００７】
上記の目的を達成するための手段として、請求項１の発明は、洗浄タンクと、前記洗浄タンクの貯水位よりも低い高さにおいて前記洗浄タンクに連通された貯水部と、前記貯水部における前記洗浄タンクの貯水位よりも高い位置と、便鉢の排水路における封水部よりも高い位置との間を連通させる通気路と、上流端が前記洗浄タンクに接続され、下流端が前記便鉢に接続された給水路と、前記洗浄タンクから前記便鉢への洗浄水の供給流量を制御する洗浄水制御手段と、前記通気路に設けた通気用電磁開閉弁を有し、前記排水路から前記貯水部への吸気動作を制御する吸気制御手段とを備え、前記洗浄水制御手段が、前記給水路に設けたポンプを備えて構成され、前記洗浄タンクから前記便鉢へ洗浄水を供給する際には、供給の初期に前記ポンプの圧送流量を少量として前記便鉢の鉢洗浄を行い、その後、前記ポンプの圧送流量を増して前記排水路から前記貯水部への吸気力を増強し、供給の終期に、前記ポンプの圧送流量を少量にするようになっているところに特徴を有する。
【００１０】
請求項２の発明は、請求項１に記載のものにおいて、オリフィスを有する区画壁によって前記貯水部内を上部貯水室と下部貯水室とに区画することで、前記吸気制御手段が構成されているところに特徴を有する。
【００１１】
請求項３の発明は、請求項２に記載のものにおいて、前記下部貯水室内には、前記貯水部内の洗浄水に浮くことによって前記オリフィスを閉塞可能な閉塞部材が設けられているところに特徴を有する。
【発明の効果】
【００１２】
＜請求項１の発明＞
洗浄水制御手段により、便鉢と排水路の形状に応じて洗浄タンクから便鉢への洗浄水の供給流量を制御すれば、洗浄性能の安定化を図ることができる。即ち、排水路における排水流量が多くなる形態の場合には、便鉢への洗浄水の供給流量を少なくすれば、排水路から貯水部への吸気力が強くなり過ぎることに起因する吸気路内への汚物吸引を防止できる。また、排水路における排水流量が少なくなる形態の場合には、便鉢への洗浄水の供給流量を多くすれば、汚物を便鉢外へ排出する洗浄機能を向上させることができる。
【００１３】
また、洗浄水制御手段として給水路に設けたポンプを用いているので、洗浄タンクの高さが低くても、洗浄タンクから便鉢への洗浄水の供給を安定して制御することができる。
【００１４】
また、吸気制御手段によって排水路から貯水部への吸気動作を制御することにより、洗浄タンクから便鉢への洗浄水の供給状態に合わせて好適なタイミングでサイホン作用を発揮させることができるので、高い洗浄効果を得ることができる。
【００１５】
＜請求項２の発明＞
洗浄タンクから便鉢へ洗浄水の供給を開始すると、供給初期にオリフィスを通過する洗浄水は液体なので、貯水部内の水位低下は比較的遅い。そして、貯水部内の水位が区画壁よりも下方へ下がると、洗浄水よりも流動抵抗の小さい空気がオリフィスを通過するようになるので、貯水部内の水位の低下が速くなり、サイホン作用が強化される。
【００１６】
＜請求項３の発明＞
洗浄タンクから便鉢へ洗浄水の供給を開始すると、供給の初期は、閉塞部材がオリフィスを閉塞しようとしているので、オリフィスを通過する洗浄水の流量は、閉塞部材がない場合に比べて絞られる。そして、貯水部の水位が下がって閉塞部材が下降を開始した後は、洗浄水よりも流動抵抗の小さい空気がオリフィスを通過するようになるので、貯水部内の水位の低下が速くなる。閉塞部材を設けない場合に比べると、本発明では、サイホン作用が機能し始めるタイミングを遅らせることができる。
【図面の簡単な説明】
【００１７】
【図１】実施形態１の概略構成図
【図２】参考形態１の概略構成図
【図３】参考形態２の概略構成図
【図４】実施形態２の概略構成図
【発明を実施するための形態】
【００１８】
＜実施形態１＞
以下、本発明を具体化した実施形態１を図１を参照して説明する。図１に示すのは、便器装置Ｅに洗浄装置Ａを組み合わせて構成される水洗式便器である。便器装置Ｅは、便鉢４０と、便鉢４０の下端部に連通する排水路４１とを備えている。便鉢４０には、その上面の開口縁に沿って形成したリム通水路４２が形成されている。排水路４１の上流端は便鉢４０の下端部に連通され、この排水路４１の上流端部のうち排水路４１の頂部（最も高い部分）から便鉢４０の下端部までの領域は、封水部４３となっている。排水路４１のうち封水部４３よりも下流側の位置には、封水部４３よりも上方の空間に開口する通気口４４が形成されている。排水路４１のうち通気口４４から下方へ延びる領域には、径寸法を狭めた絞り部４５が形成されている。
【００１９】
洗浄装置Ａは、洗浄タンク１０と、給水路１４と、貯水部１５と、通気路１８と、洗浄水制御手段１９と、吸気制御手段２２とを備えて構成されている。洗浄タンク１０は、給水弁１２を備えたボールタップ１１から給水された洗浄水を貯留するものであって、この洗浄タンク１０内に貯留されている洗浄水が便鉢４０側へ供給されるようになっている。洗浄タンク１０の下端部には排水口１３が形成され、排水口１３には給水路１４の上流端が接続され、給水路１４の下流端はリム通水路４２に接続されている。洗浄タンク１０内に貯留されている洗浄水は、給水路１４を通ってリム通水路４２に供給されるようになっている。
【００２０】
貯水部１５は、上端が閉塞されているとともに下面が連通口１６として大きく開放された筒状をなし、洗浄タンク１０の内部に固定されている。貯水部１５の連通口１６は、洗浄タンク１０内において洗浄前に貯留される洗浄水の貯水位よりも下方の高さで開口し、貯水部１５の内部空間（洗浄水を貯留する空間）は、この連通口１６を介して洗浄タンク１０の内部空間（洗浄水を貯留する空間）と連通している。貯水部１５の上端部には、洗浄タンク１０内における洗浄水の貯水位よりも高い位置に開口する吸排気口１７が形成されている。吸排気口１７には、通気路１８の一方の端部が接続されており、通気路１８の他方の端部は、排水路４１の通気口４４に接続されている。つまり、通気路１８により、貯水部１５における洗浄タンク１０の貯水位よりも高い位置と、排水路４１における封水部４３よりも高い位置とが連通されている。
【００２１】
洗浄水制御手段１９は、給水路１４の途中に設けたポンプ２０と給水用電磁開閉弁２１とによって構成されている。ポンプ２０は、洗浄タンク１０内に貯留されている洗浄水を、便鉢４０（リム通水路４２）側へ圧送するためのものであって、洗浄タンク１０の水頭圧に拘わらず、圧送流量を増減できるような流量調節機能を有している。つまり、洗浄タンク１０から便鉢４０側へ供給する洗浄水の流量は、洗浄タンク１０の水頭圧のみによって決まる流量よりも小さくすることもできるし、大きくすることもできる。また、給水用電磁開閉弁２１が開弁すると、洗浄タンク１０から便鉢４０側への洗浄水の供給を許容する状態となり、給水用電磁開閉弁２１を閉弁すると、洗浄タンク１０内から便鉢４０側への洗浄水の供給が停止する。
【００２２】
吸気制御手段２２は、通気路１８の途中に設けられた通気用電磁開閉弁２３によって構成されている。この通気用電磁開閉弁２３が開弁すると、排水路４１における封水部４３よりも下流側（上方）の空間と、貯水部１５内における洗浄水よりも上方の空間とが連通し、両空間の間で空気が流動し得る状態となる。また、通気用電磁開閉弁２３が閉弁すると、通気路１８における空気の流動が遮断される。
【００２３】
次に、本実施形態の作用を説明する。洗浄前の待機状態では、給水用電磁開閉弁２１が閉弁状態になっているとともにポンプ２０が停止しており、洗浄タンク１０内には洗浄液が所定水位（本発明及び本実施形態における「貯水位」と同義）まで洗浄水が貯留されている。また、貯水部１５内にも、洗浄タンク１０と同じ水位まで洗浄水が貯留されている。一方、便器装置Ｅにおいては、封水部４３が洗浄水で水封されている。
【００２４】
この状態から、便器使用者の手動操作又は使用者が便鉢４０から離れたことが検知されると、給水用電磁開閉弁２１が開弁状態に切り替わると同時に、ポンプ２０が起動し、洗浄タンク１０及び貯水部１５から便鉢４０側への洗浄水の供給（即ち、便鉢４０内の洗浄）が開始される。洗浄タンク１０及び貯水部１５から便鉢４０側へ圧送された洗浄水は、リム通水路４２を通って便鉢４０内に供給され、便鉢４０内の汚物を排水路４１側へ押し流す。このとき、排水路４１内に流入した洗浄水が、絞り部４５において飛散して水膜を形成するので、サイホン作用が発生し、封水部４３内の汚物が排水路４１の下流側へ排出される。
【００２５】
また、洗浄タンク１０内及び貯水部１５内の洗浄水が便鉢４０側へ流出し始めるのと同時に、又は洗浄水が便鉢４０に流出し始めた後に、通気用電磁開閉弁２３が閉弁状態から開弁状態に切り替わる。通気用電磁開閉弁２３が開弁すると、貯水部１５内の洗浄水よりも上方の空間と、排水路４１における封水部４３よりも上方（下流側）の空間とが連通するので、貯水部１５内の洗浄水の水位が低下するとともに、排水路４１における封水部４３よりも下流側（上方）の空間内の空気が通気路１８を通して貯水部１５内に吸引される。この吸引により、サイホン作用が増強され、封水部４３内の汚物が排水路４１側へ排出される。
【００２６】
所定量の洗浄水が便鉢４０へ供給されると、給水用電磁開閉弁２１が閉弁するとともに、ポンプ２０が停止し、便鉢４０への洗浄水の供給が停止する。洗浄タンク１０から便鉢４０側への洗浄水の供給が開始した後は、ポールタップ１１から洗浄タンク１０内への洗浄水が供給され続けているので、洗浄タンク１０内及び貯水部１５内の洗浄水の水位が上昇する。そして、所定の水位に達すると、ボールタップ１１からの給水が停止し、洗浄タンク１０内及び貯水部１５内が所定の貯水位に保たれる。
【００２７】
本実施形態の洗浄装置Ａは、洗浄タンク１０から便鉢４０への洗浄水の供給流量を制御する洗浄水制御手段１９として給水路１４にポンプ２０を設けているので、便器装置Ｅの便鉢４０と排水路４１の形状に応じて、ポンプ２０の圧送流量値を制御して、洗浄タンク１０から便鉢４０に供給する洗浄水の流量を適宜に設定すれば、洗浄性能の安定化を図ることができる。
【００２８】
即ち、本実施形態の洗浄装置Ａを組み合わせる便器装置Ｅが、排水路４１における排水流量が多くなる形態である場合には、ポンプ２０の圧送流量が小さくなるように設定して便鉢４０への洗浄水の供給流量を少なくすればよい。このようにすれば、排水路４１から貯水部１５への吸気力が強くなり過ぎることに起因する通気路１８内への汚物吸引を防止できる。
【００２９】
洗浄装置Ａを組み合わせる便器装置Ｅが、排水路４１における排水流量が少なくなる形態である場合には、ポンプ２０の圧送流量が大きくなるように設定して便鉢４０への洗浄水の供給流量を多くすれば、汚物を便鉢４０外へ排出する洗浄機能を向上させることができる。また、本実施形態では、洗浄タンク１０の位置が便鉢４０と概ね同じ高さに設定されているため、洗浄タンク１０の水頭圧による洗浄水の供給圧力を高めることはできないのであるが、ポンプ２０のよる圧送流量を大きく設定すれば、洗浄タンク１０の高さが低くても、洗浄タンク１０から便鉢４０への洗浄水の供給を安定して制御することができる。
【００３０】
また、本実施形態では、排水路４１から貯水部１５への吸気動作を制御する吸気制御手段２２として、通気路１８に通気用電磁開閉弁２３を設けている。この通気用電磁開閉弁２３の開閉動作（排水路４１から貯水部１５への吸気動作）を、給水用電磁開閉弁２１の開閉動作及びポンプ２０の圧送動作に応じて制御すれば、洗浄タンク１０から便鉢４０への洗浄水の供給状態に合わせて好適なタイミングでサイホン作用を発揮させることができる。
【００３１】
例えば、ポンプ２０の圧送流量を、初期は少量として便鉢４０の鉢洗浄を行うとともに、絞り部４５において洗浄水の水膜を形成し、その後に、ポンプ２０の圧送流量を増して排水路４１から貯水部１５への吸気力を増強すれば、強力なサイホン作用を発生させて、高い洗浄効果が得ることができる。そして、終期には、ポンプ２０の圧送流量を少量にすれば、必要最少の洗浄水で封水部４３を満水状態にすることができる。
【００３２】
＜参考形態１＞
次に、本発明の参考形態１を図２を参照して説明する。本参考形態１の洗浄装置Ｂは、排水路４１から貯水部１５への吸気動作を制御する吸気制御手段２４を上記実施形態１とは異なる構成としたものである。その他の構成については上記実施形態１と同じであるため、同じ構成については、同一符号を付し、構造、作用及び効果の説明は省略する。
【００３３】
本参考形態１の吸気制御手段２４は、上下に貫通する形態のオリフィス２６が形成された区画壁２５により、貯水部１５内を上部貯水室２７と、上部貯水室２７よりも下方の下部貯水室２８とに区画することで構成されている。区画壁２５の高さは、待機状態における洗浄水の貯水位よりも低い位置に設置され、上部貯水室２７の上端部には吸排気口１７が開口されており、下部貯水室２８の下端部には連通口１６が開口されている。また、本参考形態１では、通気路１８に通気用電磁開閉弁２３が設けられていないため、貯水部１５内の洗浄水よりも上方の空間と、排水路４１における封水部４３よりも上方（下流側）の空間とが、常時、連通している。
【００３４】
本参考形態１では、洗浄タンク１０から便鉢４０への洗浄水の供給が開始すると、洗浄タンク１０内の洗浄水は勢い良く便鉢４０側へ流出して洗浄タンク１０のうち貯水部１５以外の領域に貯留されている洗浄水の水位が速やかに低下する。一方、貯水部１５内においては、供給初期（つまり、絞り部４５において洗浄水が水膜を形成するまでの間）にオリフィス２６を通過する洗浄水は比較的流動抵抗の大きい液体なので、貯水部１５（上部貯水室２７）内の水位低下は比較的遅く、サイホン作用は弱い。そして、絞り部４５において洗浄水の水膜が形成される時に、貯水部１５内の水位が区画壁２５よりも下方へ下がるように設計されている。貯水部１５内の水位が区画壁２５よりも下方へ下がると、洗浄水よりも流動抵抗の小さい空気がオリフィス２６を通過するようになるので、貯水部１５（下部貯水室２８）内の水位の低下が速くなり、サイホン作用が強化される。
【００３５】
尚、上記のように貯水部１５内の水位低下を洗浄タンク１０内の水位低下よりも遅くすると、洗浄タンク１０内の水位が下がって洗浄水の流出流量が少なくなったときに、洗浄タンク１０内からの洗浄水の流出流量よりも、貯水部１５内から洗浄タンク１０内への洗浄水の流入流量が多くなることがある。このようになると、洗浄タンク１０内と貯水部１５内の水位差が小さくなるので、貯水部１５内の水位低下速度が遅くなり、その結果、排水路４１側から貯水部１５への吸気力が低下し、サイホン作用も低下することが懸念される。
【００３６】
しかし、本参考形態１では、洗浄タンク１０から便鉢４０側へ排出される洗浄水の流量を、ポンプ２０によって増やすことができるので、洗浄タンク１０内と貯水部１５内の水位差が小さくなるのを回避し、貯水部１５内の水位低下速度を速くすることができる。これにより、排水路４１側から貯水部１５への吸気力低下を防止して、強力なサイホン作用を保つことができる。
【００３７】
また、本参考形態１のように貯水部１５内の初期の水位低下を遅くする場合において、その遅延時間を長くするためには、オリフィス２６の内径を小さくすればよい。ところが、オリフィス２６の内径を小さくすると、洗浄水内の異物がオリフィス２６を詰まらせることが懸念される。その点、本参考形態１では、上部貯水室２７内の洗浄水を、ポンプ２０によって下部貯水室２８側へ強制的に吸引して便鉢４０側へ流出しているので、オリフィス２６において詰まりが発生する虞はない。
【００３８】
＜参考形態２＞
次に、本発明の参考形態２を図３を参照して説明する。本参考形態２の洗浄装置Ｃは、排水路４１から前記貯水部１５への吸気動作を制御する吸気制御手段２９を上記参考形態１とは異なる構成としたものである。その他の構成については上記参考形態１と同じであるため、同じ構成については、同一符号を付し、構造、作用及び効果の説明は省略する。
【００３９】
本参考形態２では、貯水部１５のうち下部貯水室２８内には、オリフィス２６を閉塞可能な閉塞部材３０が収容されている。この閉塞部材３０は、洗浄水よりも比重が小さいので、貯水部１５内の洗浄水に浮くようになっている。したがって、貯水部１５内の洗浄水の水位が所定高さ以上であれば、閉塞部材３０が浮力によってオリフィス２６を下側から閉塞する。
【００４０】
洗浄タンク１０から便鉢４０へ洗浄水の供給を開始すると、供給の初期は、閉塞部材３０が浮力によってオリフィス２６を下側から閉塞しようとしているので、オリフィス２６を通過する洗浄水の流量は、閉塞部材３０がない場合に比べて絞られる。このときのオリフィス２６を通過するときの流量は、閉塞部材３０に作用する浮力の影響を受けるとともに、貯水部１５内と洗浄タンク１０内の洗浄水の水位差によって変動する。
【００４１】
そして、貯水部１５内の洗浄水の水位が区画壁２５の下面よりも低くなると、洗浄水よりも流動抵抗の小さい空気がオリフィス２６を通過するようになるので、貯水部１５内の水位の低下が速くなり、サイホン作用が機能し始める。本参考形態２によれば、洗浄水がオリフィス２６を通過している間は閉塞部材３０によってオリフィス２６の開度が狭められるので、閉塞部材３０を設けない参考形態１のものに比べると、サイホン作用が機能し始めるタイミングを遅らせることができる。また、空気がオリフィス２６を通過し始める前に、ポンプ２０の圧送流量を減少させれば、洗浄タンク１０内と貯水部１５内の水位差が小さくなるので、オリフィス２６を通過する洗浄水の流量を減らしてサイホン作用の開始を遅らせることもできる。
【００４２】
＜実施形態２＞
次に、本発明を具体化した実施形態２を図４を参照して説明する。本実施形態２の洗浄装置Ｄは、洗浄タンク１０から便鉢４０への洗浄水の供給流量を制御する洗浄水制御手段３１を上記実施形態１とは異なる構成としたものである。その他の構成については上記実施形態１と同じであるため、同じ構成については、同一符号を付し、構造、作用及び効果の説明は省略する。
【００４３】
本実施形態２では、洗浄タンク１０を便鉢よりも高い位置に設置しており、洗浄タンク１０内及び貯水部１５内の洗浄水の貯水位は、便鉢４０に比べて十分に高い位置となる。また、給水路１４の途中には、給水用電磁開閉弁２１と、給水用電磁開閉弁２１よりも下流側（便鉢４０側）に配置した給水用流量制御弁３２とが設けられている。このように、洗浄タンク１０を便鉢４０よりも高い位置に設置して洗浄タンク１０内の水頭圧を高くする形態と、給水路１４に給水用電磁開閉弁２１と給水用流量制御弁３２を設ける形態とによって、洗浄水制御手段３１が構成されている。
【００４４】
給水用電磁開閉弁２１を開弁すると、洗浄タンク１０内及び貯水部１５内の洗浄水の水頭圧により、洗浄タンク１０及び貯水部１５から便鉢４０側への洗浄水の供給（即ち、便鉢４０内の洗浄）が開始され、便鉢４０に供給された洗浄水は、便鉢４０内の汚物を排水路４１側へ押し流すとともに、排水路４１の絞り部４５において水膜を形成するので、サイホン作用が発生する。このとき、給水用流量制御弁３２を調節して便鉢４０への洗浄水の供給流量を多くすれば、洗浄機能を向上させることができ、便鉢４０への洗浄水の供給流量を少なくすれば、通気路１８内への汚物吸引を防止することができる。また、洗浄水が便鉢４０側へ流出し始めるのと同時に、又は洗浄水が便鉢４０に流出し始めた後に、通気路１８の通気用電磁開閉弁２３が開弁状態に切り替わるので、貯水部１５内の洗浄水の水位が低下するのに伴って、排水路４１内の空気が通気路１８を通して貯水部１５内に吸引され、サイホン作用が増強される。
【００４５】
＜他の実施形態＞
本発明は上記記述及び図面によって説明した実施形態に限定されるものではなく、例えば次のような実施形態も本発明の技術的範囲に含まれる。
（１）上記実施形態１，２では、貯水部を洗浄タンクの内部に配置したが、貯水部は洗浄タンクの外部に配置してもよい。
（２）上記実施形態１では、洗浄タンクの位置を便鉢とほぼ同じ高さに配置したが、実施形態１〜３において洗浄タンクを便鉢よりも高い位置に配置してもよい。
（３）上記実施形態２では、洗浄水制御手段として、洗浄タンクを便鉢よりも高い位置に設置して洗浄タンク内の水頭圧を高くする形態と、給水路に電磁開閉弁を設ける形態と、給水路に流量制御弁を設ける形態とがとられているが、これに替えて、実施形態１のように給水路にポンプと電磁開閉弁を設ける形態としてもよい。
＜参考例＞
（１）上記実施形態１及び参考形態１，２では、洗浄水制御手段として圧送流量を調節可能なポンプを用いたが、ポンプに替えて流量制御弁を洗浄水制御手段とる形態や、圧送流量の調節不能なポンプとこのポンプの下流側に設けた流量制御弁とによって洗浄水制御手段を構成する形態も考えられる。
（２）上記参考形態１，２では、貯水部を洗浄タンクの内部に配置したが、貯水部は洗浄タンクの外部に配置してもよい。
（３）上記実施形態１，４では、排水路から貯水部への吸気動作を制御する吸気制御手段として通気路に電磁開閉弁を設けたが、電磁開閉弁に替えて流量制御弁を設ける形態や、電磁開閉弁に加えて流量制御弁を設ける形態や、吸気制御手段を設けない形態も考えられる。
（４）上記参考形態１，２では、洗浄タンクの位置を便鉢とほぼ同じ高さに配置したが、参考形態１，２において洗浄タンクを便鉢よりも高い位置に配置する形態も考えられる。
（５）上記実施形態１，２において、排水路から貯水部への吸気動作を制御する吸気制御手段として、通気路に電磁開閉弁を設ける形態や、流量制御弁を設ける形態や、電磁開閉弁と流量制御弁を設けない形態が考えられる。
（６）上記実施形態２に、参考形態１又は参考形態２の吸気制御手段を適用することも考えられる。
【符号の説明】
【００４６】
Ａ，Ｂ，Ｃ，Ｄ…洗浄装置
１０…洗浄タンク
１５…貯水部
１４…給水路
１８…通気路
１９…洗浄水制御手段
２０…ポンプ
２２…吸気制御手段
２４，２９…吸気制御手段
２５…区画壁
２６…オリフィス
２７…上部貯水室
２８…下部貯水室
３０…閉塞部材
３１…洗浄水制御手段
４０…便鉢
４１…排水路
４３…封水部
【図１】
0005846740.tif 000002
【図２】
0005846740.tif 000003
【図３】
0005846740.tif 000004
【図４】
0005846740.tif 000005